【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
遊技球が流下可能な第１流路と、
遊技球が流下可能に構成され、前記第１流路とは異なる第２流路と、を備え、
前記第１流路と前記第２流路とのうち少なくとも一方が変位することで、前記第１流路と前記第２流路とが連通し、前記第１流路を流下した遊技球が前記第２流路へと流入可能となる第１状態と、前記第１流路と前記第２流路とが離間し、前記第１流路を流下した遊技球が前記第２流路へと流入困難となる第２状態と、を少なくとも形成可能な遊技機において、
前記第１流路または前記第２流路のうち一方に変位可能に配設され、前記第１流路または前記第２流路のうち他方に当接する特定位置に変位することで前記第１流路と前記第２流路とを連通させる変位手段と、
前記第２状態において前記第１流路へと流入した遊技球が前記第２流路方向へと流下することを、前記第２状態の間抑制することが可能な抑制手段と、
所定の実行条件の成立に基づいて遊技者に有利な特典遊技を実行する特典遊技実行手段と、を備え、
前記特典遊技の実行中において予め定められた特定条件が成立すると前記第１流路へと複数の遊技球が流入し易くなるように構成されていることを特徴とする遊技機。
【請求項２】
遊技球を遊技領域へと発射可能な発射手段を備えることを特徴とする請求項１記載の遊技機。
【手続補正２】
【補正対象書類名】明細書
【補正対象項目名】０００２
【補正方法】変更
【補正の内容】
【０００２】
パチンコ機等の遊技機において、遊技領域へと発射された遊技球が通過可能な流路が複数設けられているものがある。
【手続補正３】
【補正対象書類名】明細書
【補正対象項目名】０００４
【補正方法】変更
【補正の内容】
【０００４】
しかしながら、上述した従来の遊技機では、遊技球を好適に流下させることができなくなってしまう虞があった。
【手続補正４】
【補正対象書類名】明細書
【補正対象項目名】０００５
【補正方法】変更
【補正の内容】
【０００５】
本発明は、上記例示した問題点等を解決するためになされたものであり、遊技球を好適に流下させることができる遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、遊技球が流下可能な第１流路と、遊技球が流下可能に構成され、前記第１流路とは異なる第２流路と、を備え、前記第１流路と前記第２流路とのうち少なくとも一方が変位することで、前記第１流路と前記第２流路とが連通し、前記第１流路を流下した遊技球が前記第２流路へと流入可能となる第１状態と、前記第１流路と前記第２流路とが離間し、前記第１流路を流下した遊技球が前記第２流路へと流入困難となる第２状態と、を少なくとも形成可能なものであり、前記第１流路または前記第２流路のうち一方に変位可能に配設され、前記第１流路または前記第２流路のうち他方に当接する特定位置に変位することで前記第１流路と前記第２流路とを連通させる変位手段と、前記第２状態において前記第１流路へと流入した遊技球が前記第２流路方向へと流下することを、前記第２状態の間抑制することが可能な抑制手段と、所定の実行条件の成立に基づいて遊技者に有利な特典遊技を実行する特典遊技実行手段と、を備え、前記特典遊技の実行中において予め定められた特定条件が成立すると前記第１流路へと複数の遊技球が流入し易くなるように構成されている。
【手続補正６】
【補正対象書類名】明細書
【補正対象項目名】０００７
【補正方法】変更
【補正の内容】
【０００７】
請求項２記載の遊技機は、請求項１記載の遊技機において、遊技球を遊技領域へと発射可能な発射手段を備える。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
本発明の遊技機によれば、遊技球が流下可能な第１流路と、遊技球が流下可能に構成され、前記第１流路とは異なる第２流路と、を備え、前記第１流路と前記第２流路とのうち少なくとも一方が変位することで、前記第１流路と前記第２流路とが連通し、前記第１流路を流下した遊技球が前記第２流路へと流入可能となる第１状態と、前記第１流路と前記第２流路とが離間し、前記第１流路を流下した遊技球が前記第２流路へと流入困難となる第２状態と、を少なくとも形成可能なものであり、前記第１流路または前記第２流路のうち一方に変位可能に配設され、前記第１流路または前記第２流路のうち他方に当接する特定位置に変位することで前記第１流路と前記第２流路とを連通させる変位手段と、前記第２状態において前記第１流路へと流入した遊技球が前記第２流路方向へと流下することを、前記第２状態の間抑制することが可能な抑制手段と、所定の実行条件の成立に基づいて遊技者に有利な特典遊技を実行する特典遊技実行手段と、を備え、前記特典遊技の実行中において予め定められた特定条件が成立すると前記第１流路へと複数の遊技球が流入し易くなるように構成されている。
【手続補正１１】
【補正対象書類名】明細書
【補正対象項目名】００１２
【補正方法】変更
【補正の内容】
【００１２】
これにより、遊技球を好適に流下させることができるという効果がある。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】２６２５
【補正方法】変更
【補正の内容】
【２６２５】
上記各遊技機のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、発光動作が行われる発光部材や、モータ等で可変される可変部材等の演出用部材を構成に含むものがある。かかる遊技機の中には、複数の演出用部材を作動させることによって、多種多様な演出動作を実行することができるものがある（特許文献１：特開２００８−０１２１９４号公報）。
しかしながら、上述した従来の遊技機では、演出用部材を多様化させる程、各演出用部材の動作制御が複雑となってしまう虞があった。即ち、処理負荷が増大してしまう虞があった。
本技術的思想は、上記例示した問題点等を解決するためになされたものであり、処理負荷を軽減することができる遊技機を提供することを目的とする。
＜手段＞
この目的を達成するために技術的思想１の遊技機は、複数の作動部と、その作動部を作動させるための作動データに基づいて、それぞれの前記作動部を作動させる作動手段と、それぞれの前記作動部を作動させる作動パターンを所定条件の成立に基づいて決定する作動パターン決定手段と、その作動パターン決定手段により決定された前記作動パターンに基づいて、それぞれの前記作動部の作動データを取得する取得手段と、その取得手段により取得された前記作動データを分割して設定する設定手段と、を有する。
技術的思想２の遊技機は、技術的思想１記載の遊技機において、前記設定手段は、前記作動データを前記作動部単位で分割して設定することが可能なものである。
技術的思想３の遊技機は、技術的思想１又は２に記載の遊技機において、前記作動データは、前記作動部を作動させる場合の作動態様を指定するデータと、その作動態様で動作させる前記作動部を指定するデータとを少なくとも含むものである。
技術的思想４の遊技機は、技術的思想３記載の遊技機において、前記取得手段は、複数の異なる作動態様を指定するデータが、それぞれ異なる作動部を指定するデータに対応付けられた前記作動データを取得可能なものである。
技術的思想５の遊技機は、技術的思想４記載の遊技機において、前記設定手段は、前記作動データを、同一の作動態様が設定される前記作動部毎に分割して設定するものである。
＜効果＞
技術的思想１記載の遊技機によれば、複数の作動部を作動させるための作動データに基づいて、それぞれの作動部が作動手段によって作動される。それぞれの作動部を作動させる作動パターンが、作動パターン決定手段によって所定条件の成立に基づいて決定され、その作動パターン決定手段により決定された作動パターンに基づいて、それぞれの作動部の作動データが取得手段によって取得される。取得手段により取得された作動データが設定手段によって分割して設定される。
これにより、設定手段により一括して作動データを設定する場合に比較して、分割して設定する各回のデータ量を削減することができる。つまり、作動データを設定するための処理負荷を分散させることができる。
よって、処理負荷を軽減することができるという効果がある。
技術的思想２記載の遊技機によれば、技術的思想１記載の遊技機の奏する効果に加え、作動データが設定手段により作動部単位で分割して設定されるので、処理負荷をより細かく分散させることができるという効果がある。
技術的思想３記載の遊技機によれば、技術的思想１又は２に記載の遊技機の奏する効果に加え、次の効果を奏する。即ち、作動データには、作動部を作動させる場合の作動態様を指定するデータと、その作動態様で動作させる作動部を指定するデータとが少なくとも含まれるので、複数の作動部に対して異なる作動態様を設定することができる。
よって、作動態様を多様化させることができるので、遊技者の遊技に対する興趣を向上させることができるという効果がある。
技術的思想４記載の遊技機によれば、技術的思想３記載の遊技機の奏する効果に加え、取得手段により複数の異なる作動態様を指定するデータが、それぞれ異なる作動部を指定するデータに対応付けられた作動データが取得されるので、取得手段により取得される作動データによって、異なる作動部に異なる作動態様を設定することができる。よって、複数の作動部の作動態様をより多様化させることができるという効果がある。
技術的思想５記載の遊技機によれば、技術的思想４記載の遊技機の奏する効果に加え、同一の作動態様を同一のタイミングで作動部に対して設定することができるので、同じ作動態様を同じタイミングで反映させることができる。よって、作動データを設定した直後における各作動部の見た目の品位を向上させることができるという効果がある。
【手続補正１９】
【補正対象書類名】明細書
【補正対象項目名】２６２６
【補正方法】変更
【補正の内容】
【２６２６】
１０                      パチンコ機（遊技機）
４２２ 第２通路形成部材（第２流路）
４２４ 接続部材（変位手段）
５００ 左揺動ユニット（第１流路）
５１５ 流下通路（抑制手段）
５２０ 第１通路形成部材（第１流路の一部）
Ｓ２１４ 特典遊技実行手段
Ｓ２９０６，Ｓ２９１５    作動パターン決定手段の一部
Ｓ２９０７，Ｓ２９１６    設定手段の一部
Ａ１〜Ａ１８              点灯領域（作動部）